(57)【要約】  蓄電装置は、第１の機器と通電可能に接続される第１の端子部と、第２の機器と通電可能に接続される第２の端子部と、蓄電部と、第１の端子部、第２の端子部及び蓄電部を通電可能に接続する電線と、電線に設けられた第１の開閉器と、制御部とを備える。制御部は、第２の機器の動作異常を検知した場合に、第１の開閉器を開いて、第１の端子部と蓄電部とを通電可能に接続した状態で、第１の端子部及び蓄電部と第２の端子部との間の通電を遮断する。
2019208147.tif 000002
【特許請求の範囲】
【請求項１】
第１の機器と通電可能に接続される第１の端子部と、
第２の機器と通電可能に接続される第２の端子部と、
蓄電部と、
前記第１の端子部、前記第２の端子部及び前記蓄電部を通電可能に接続する電線と、
前記電線に設けられた第１の開閉器と、
制御部と、
を備え、
前記制御部は、前記第２の機器の動作異常を検知した場合に、前記第１の開閉器を開いて、前記第１の端子部と前記蓄電部とを通電可能に接続した状態で、前記第１の端子部及び前記蓄電部と前記第２の端子部との間の通電を遮断する、
蓄電装置。
【請求項２】
請求項１に記載の蓄電装置であって、
通信部を更に備え、
前記制御部は、前記通信部において前記第２の機器の動作異常を示す信号を受信することにより、前記第２の機器の動作異常を検知する、
蓄電装置。
【請求項３】
請求項２に記載の蓄電装置であって、
前記制御部は、自装置の動作異常を検知した場合に、前記通信部から自装置の動作異常を示す信号を送信する、
蓄電装置。
【請求項４】
請求項１又は２に記載の蓄電装置であって、
前記電線に設けられた第２の開閉器を更に備え、
前記制御部は、自装置の動作異常を検知した場合に、前記第２の開閉器を開いて、前記第１の端子部と前記第２の端子部とを通電可能に接続した状態で、前記第１の端子部及び前記第２の端子部と前記蓄電部との間の通電を遮断する、
蓄電装置。
【請求項５】
請求項１から４のいずれか一項に記載の蓄電装置であって、
報知部を更に備え、
前記制御部は、自装置の前記第１の開閉器が開かれると、前記第１の開閉器が開かれた旨を前記報知部から報知する、
蓄電装置。
【請求項６】
請求項１から４のいずれか一項に記載の蓄電装置であって、
報知部と、入力部と、を更に備え、
前記制御部は、
自装置の前記第１の開閉器が開かれる際に、自装置の動作の少なくとも一部を停止させて、前記第１の開閉器が開かれた旨を前記報知部から報知し、
前記第１の開閉器が開かれた状態で前記動作の少なくとも一部を再開させる指示を前記入力部にて受け付けると、前記第１の開閉器が開かれた状態で前記動作の少なくとも一部を再開させる、
蓄電装置。
【請求項７】
請求項２又は３に記載の蓄電装置であって、
前記制御部は、前記通信部から自装置の前記第１の開閉器が開かれると、前記第１の開閉器が開かれた旨を通知する信号を送信する、
蓄電装置。
【請求項８】
請求項２又は３に記載の蓄電装置であって、
前記制御部は、
自装置の前記第１の開閉器が開かれる際に、自装置の動作の少なくとも一部を停止させて、前記通信部から前記第１の開閉器が開かれた旨を通知する信号を送信し、
前記第１の開閉器が開かれた状態で前記動作の少なくとも一部を再開させる信号を前記通信部にて受け付けると、前記第１の開閉器が開かれた状態で前記動作の少なくとも一部を再開させる、
蓄電装置。
【請求項９】
請求項１から８のいずれか一項に記載の蓄電装置であって、
前記第１の開閉器は閉じられた状態から開かれた状態に不可逆的に遷移する、
蓄電装置。
【請求項１０】
第１の機器と通電可能に接続される第１の端子部と、第２の機器と通電可能に接続される第２の端子部と、蓄電部と、前記第１の端子部、前記第２の端子部及び前記蓄電部を通電可能に接続する電線と、前記電線に設けられた第１の開閉器とを備える蓄電装置を制御可能な制御装置であって、
前記蓄電装置に、前記第２の機器の動作異常を検知させ、
前記蓄電装置に、前記第２の機器の動作異常を検知した場合に、前記第１の開閉器を開いて、前記第１の端子部と前記蓄電部とを通電可能に接続した状態で、前記第１の端子部及び前記蓄電部と前記第２の端子部との間の通電を遮断させる、
制御装置。
【請求項１１】
第１の機器と通電可能に接続される第１の端子部と、第２の機器と通電可能に接続される第２の端子部と、蓄電部と、前記第１の端子部、前記第２の端子部及び前記蓄電部を通電可能に接続する電線と、前記電線に設けられた第１の開閉器とを備える蓄電装置の制御方法であって、
前記第２の機器の動作異常を検知するステップと、
前記第２の機器の動作異常を検知した場合に、前記第１の開閉器を開いて、前記第１の端子部と前記蓄電部とを通電可能に接続した状態で、前記第１の端子部及び前記蓄電部と前記第２の端子部との間の通電を遮断するステップ、
を含む、制御方法。
【発明の詳細な説明】
【関連出願の相互参照】
【０００１】
本出願は、２０１８年４月２３日に日本国に特許出願された特願２０１８−８２１６２の優先権を主張するものであり、この先の出願の開示全体をここに参照のために取り込む。
【技術分野】
【０００２】
本開示は、蓄電装置、蓄電装置の制御装置及び蓄電装置の制御方法に関する。【０００３】
従来、蓄電装置に異常が発生した場合に、蓄電装置からの通電を遮断する技術が知られている。例えば、特許文献１には、蓄電池を複数組み合わせてなる電池パックが異常状態である場合にそれ以上充電ができないように、電池パックから負荷への通電を遮断させる点検安全化装置が開示されている。
【先行技術文献】
【特許文献】
【０００４】
【特許文献１】特開２０１７−０７３９０６号公報
【発明の概要】
【０００５】
本開示の実施形態に係る蓄電装置は、第１の機器と通電可能に接続される第１の端子部と、第２の機器と通電可能に接続される第２の端子部と、蓄電部と、前記第１の端子部、前記第２の端子部及び前記蓄電部を通電可能に接続する電線と、前記電線に設けられた第１の開閉器と、制御部とを備える。前記制御部は、前記第２の機器の動作異常を検知した場合に、前記第１の開閉器を開いて、前記第１の端子部と前記蓄電部とを通電可能に接続した状態で、前記第１の端子部及び前記蓄電部と前記第２の端子部との間の通電を遮断する。
【０００６】
本開示の実施形態に係る制御装置は、第１の機器と通電可能に接続される第１の端子部と、第２の機器と通電可能に接続される第２の端子部と、蓄電部と、前記第１の端子部、前記第２の端子部及び前記蓄電部を通電可能に接続する電線と、前記電線に設けられた第１の開閉器とを備える蓄電装置を制御可能な制御装置である。前記制御装置は、前記蓄電装置に、前記第２の機器の動作異常を検知させる。前記制御装置は、前記蓄電装置に、前記第２の機器の動作異常を検知した場合に、前記第１の開閉器を開いて、前記第１の端子部と前記蓄電部とを通電可能に接続した状態で、前記第１の端子部及び前記蓄電部と前記第２の端子部との間の通電を遮断させる。
【０００７】
本開示の実施形態に係る制御方法は、第１の機器と通電可能に接続される第１の端子部と、第２の機器と通電可能に接続される第２の端子部と、蓄電部と、前記第１の端子部、前記第２の端子部及び前記蓄電部を通電可能に接続する電線と、前記電線に設けられた第１の開閉器とを備える蓄電装置の制御方法である。前記制御方法は、前記第２の機器の動作異常を検知するステップを含む。前記制御方法は、前記第２の機器の動作異常を検知した場合に、前記第１の開閉器を開いて、前記第１の端子部と前記蓄電部とを通電可能に接続した状態で、前記第１の端子部及び前記蓄電部と前記第２の端子部との間の通電を遮断するステップを含む。
【図面の簡単な説明】
【０００８】
【図１】本開示の一実施形態に係る蓄電システムの概略構成図である。
【図２】図１に記載の蓄電システムの動作の一例のシーケンスチャートである。
【図３】図１に記載の蓄電システムの動作の他の例のシーケンスチャートである。
【図４】図１に記載の蓄電装置が実行する処理の一例のフローチャートである。
【図５】図１に記載の蓄電装置が実行する処理の他の例のフローチャートである。
【図６】図１に記載の蓄電システムが実行する処理の例のシーケンスチャートである。
【発明を実施するための形態】
【０００９】
従来、複数の蓄電装置のうち一部の蓄電装置に異常が発生じた場合に、異常が発生しておらず正常に動作可能な蓄電装置を継続動作させるような、蓄電装置を制御する技術の有用性の更なる向上が望まれている。本開示は、蓄電装置を制御する技術の有用性を向上させる蓄電装置、蓄電装置の制御装置及び蓄電装置の制御方法を提供する。
【００１０】
（蓄電システムの構成）
図１は、本開示の一実施形態に係る蓄電システム１の一例を示す概略構成図である。蓄電システム１には、パワーコンディショナ１０及び蓄電装置２０Ａ、２０Ｂ及び２０Ｃ等の機器が含まれてもよい。図１において、蓄電装置２０Ａ、２０Ｂ及び２０Ｃは電線４０により並列に接続され、パワーコンディショナ１０を介して電力系統６０と接続される。本明細書において、電線４０を介して接続される機器のうち、電力系統６０により近い位置に接続された機器を「上位」の機器とよび、より遠い位置に接続された機器を「下位」の機器とよぶ。図１において、それぞれの機器は、パワーコンディショナ１０、蓄電装置２０Ａ、２０Ｂ及び２０Ｃの順に、パワーコンディショナ１０が最も上位に、蓄電装置２０Ｃが最も下位に位置するように接続されている。例えば、蓄電装置２０Ａに着目すると、パワーコンディショナ１０は蓄電装置２０Ａの上位に接続された機器であり、蓄電装置２０Ｂ及び２０Ｃは蓄電装置２０Ａの下位に接続された機器であるといえる。図１において、電線４０は実線で示される。蓄電システム１は、電力系統６０に接続され、電力系統６０に接続された負荷７０等に電力を供給する。負荷７０は、例えば、照明、エアーコンディショナ又は情報処理装置等の電力を消費する任意の電気機器が含まれてもよい。また、蓄電システム１は、電力系統６０から供給された電力を蓄電装置２０Ａ、２０Ｂ及び２０Ｃに蓄積する。以下、蓄電装置２０Ａ、２０Ｂ及び２０Ｃを特に区別しない場合、単に、蓄電装置２０と総称する。蓄電システム１において、パワーコンディショナ１０及び蓄電装置２０等の蓄電システム１に含まれる機器は、通信線５０により互いに通信可能に接続される。図１において、通信線５０は点線で示される。通信線５０は、例えば、バス型に構成され得る。図１では、一例として、１台のパワーコンディショナ１０と、３台の蓄電装置２０を含む蓄電システム１が図示されているが、蓄電システム１に含まれる機器の構成及び数は任意に定められてもよい。例えば、蓄電システム１に求められる蓄電容量等の要件に応じて、パワーコンディショナ１０及び蓄電装置２０は、増設又は撤去されてもよい。なお、通信線５０は、有線であっても無線であってもよい。
【００１１】
パワーコンディショナ１０は、ＰＣＳ（Power Conditioning System：電力制御装置）ともいう。パワーコンディショナ１０は、例えば、蓄電装置２０から電力系統６０又は負荷７０等への電力の入出力を制御し、或いは蓄電装置２０から出力された直流電力を交流電力に変換して電力系統６０又は負荷７０等に出力する。パワーコンディショナ１０は、蓄電システム１の蓄電装置２０のいずれかが破損又は故障し動作異常となった場合に、自身よりも下位に接続されている全ての蓄電装置２０を切り離してもよい。これにより、蓄電システム１と外部との通電が遮断され、蓄電システム１全体の充放電等の動作が中断され得る。
【００１２】
蓄電装置２０は、電力系統６０に接続された負荷７０等に電力を供給する。蓄電装置２０は、売電可能な電力等を電力系統６０に供給してもよい。また、蓄電装置２０は、電力系統６０から供給された電力を蓄積する。蓄電装置２０は、パワーコンディショナ１０から受信した制御信号に基づき、電力の供給、蓄積及び蓄電装置２０自身に関する情報の提供等の動作をしてもよい。
【００１３】
本開示の一実施形態に係る蓄電システム１において、システムの蓄電装置２０のいずれかが破損又は故障し動作異常となった場合に、詳細を後述するように動作異常の蓄電装置の上位に位置する蓄電装置の開閉器又は動作異常の蓄電装置自身の開閉器が開かれ得る。これにより、動作異常となった蓄電装置が切り離されて、一部の蓄電装置による縮退状態で蓄電システム１の充放電等の動作が継続され得る。以下、蓄電装置自身のことを自装置ともいう。
【００１４】
（蓄電装置の構成）
以下に、本開示の一実施形態に係る蓄電装置の一例である蓄電装置２０の概略構成を示す。図１において、蓄電装置２０は、制御部２１、蓄電部２２、第１の端子部２３、第２の端子部２４、電線２５、第１の開閉器２６、第２の開閉器２７、通信部２８、記憶部２９、報知部３０及び入力部３１等の機能部を備える。
【００１５】
制御部２１は、詳細を後述するように、蓄電装置２０の各機能を実現するための制御及び処理能力を提供する１つ以上のプロセッサである。制御部２１は、制御手順を規定したプログラムを実行するＣＰＵ（Central Processing Unit）等のプロセッサ又は各機能の処理に特化した専用のプロセッサで構成されてもよい。
【００１６】
制御部２１は、上述した蓄電装置２０の各機能部と有線又は無線により接続され、これらの機能部をはじめとして蓄電装置２０の全体または一部を制御及び管理する。制御部２１は、記憶部２９に記憶されているプログラムを取得して、このプログラムを実行することにより、蓄電装置２０の各機能部に係る種々の機能を実現する。制御部２１が行う本実施形態に特徴的な制御については、さらに後述する。
【００１７】
蓄電部２２は、制御部２１の制御に基づき、電力の充電及び放電を行う。蓄電部２２は、後述する２つの第１の端子部２３及び第２の端子部２４を介して、蓄電装置２０の外部と通電可能に配置される。蓄電部２２における電力の充電及び放電は、蓄電部２２を構成するセルの単位で、制御部２１により制御及び管理されてもよい。蓄電部２２は複数のセルを備えていてもよい。また、セルは、複数のセルを接続したモジュール単位で、制御部２１により制御及び管理されてもよい。
【００１８】
第１の端子部２３及び第２の端子部２４は、蓄電装置２０の外部から電線４０等を接続される端子を備える。本実施形態において、蓄電装置２０は単相二線式にて他の機器と接続されることを想定している。そのため、第１の端子部２３及び第２の端子部２４はそれぞれ、正極端子２３Ａ（２４Ａ）及び負極端子２３Ｂ（２４Ｂ）を備えてもよい。蓄電装置２０を含む蓄電装置の結線方式には、例えば、単相二線式、単相三線式、三相三線式又は三相四線式等様々な方式がある。蓄電装置の結線方式に応じて、第１の端子部２３及び第２の端子部２４に含まれる端子の数は、任意の数とされ得る。
【００１９】
第１の端子部２３及び第２の端子部２４は、電線４０を介してそれぞれ異なる機器と通電可能に接続される。第１の端子部２３は第１の機器と通電可能に接続される。第２の端子部２４は第２の機器と通電可能に接続される。第１の機器及び第２の機器は、例えばパワーコンディショナ１０又は蓄電装置２０等の機器であってもよい。電線４０により接続される機器は、パワーコンディショナ１０及び蓄電装置２０に限られず、例えば、太陽電池、風力発電装置、水力発電装置及び燃料電池等を含む任意の電源装置、或いは情報処理装置等を含む、任意の機器であってもよい。本実施形態において、第１の機器は蓄電装置２０に接続された２つの機器のうち上位の機器であり、第２の機器は下位の機器とされ得る。
【００２０】
図１において、蓄電装置２０Ａの第１の端子部２３の正極端子２３Ａ及び負極端子２３Ｂはそれぞれパワーコンディショナ１０の正極端子及び負極端子と電線４０Ａ及び４０Ｂを介して接続される。蓄電装置２０Ａの第２の端子部２４の正極端子２４Ａ及び負極端子２４Ｂはそれぞれ蓄電装置２０Ｂの第１の端子部２３の正極端子２３Ａ及び負極端子２３Ｂと電線４０Ｃ及び４０Ｄを介して接続される。また、蓄電装置２０Ｂの第２の端子部２４の正極端子２４Ａ及び負極端子２４Ｂはそれぞれ蓄電装置２０Ｃの第１の端子部２３の正極端子２３Ａ及び負極端子２３Ｂと電線４０Ｅ及び４０Ｆを介して接続される。これにより、蓄電システム１において、蓄電装置２０Ａ、２０Ｂ及び２０Ｃは並列に接続される。本実施形態において、蓄電装置２０はそれぞれ第１の端子部２３及び第２の端子部２４の２つの端子部を備えるものとして説明するが、端子部の数は２以上の任意の数であってもよい。
【００２１】
第１の端子部２３、第２の端子部２４及び蓄電部２２は電線２５により通電可能に接続される。電線２５の数は任意の数であってもよい。図１において、電線２５には、第１の端子部２３、第２の端子部２４及び蓄電部２２のそれぞれの正極端子同士を接続する電線２５Ａと、それぞれの負極端子同士を接続する電線２５Ｂとが含まれている。
【００２２】
第１の開閉器２６は、電線２５に設けられる。具体的には、第１の開閉器２６は、第２の開閉器２７が閉じられた状態で第１の開閉器２６が閉じられると、第１の端子部２３と第２の端子部２４と蓄電部２２を通電可能に接続するように電線２５に設けられる。これにより、蓄電装置２０の蓄電部２２と、第１の端子部２３及び第２の端子部２４それぞれに接続された機器とが通電可能に接続される。一方で、第１の開閉器２６は、第２の開閉器２７が閉じられた状態で第１の開閉器２６が開かれると、第１の端子部２３と蓄電部２２とを通電可能に接続した状態で、第１の端子部２３及び蓄電部２２と第２の端子部２４との間の通電を遮断するように電線２５に設けられる。これにより、第１の端子部２３に接続された第１の機器と蓄電装置２０の蓄電部２２とは通電可能に接続された状態で、第１の機器及び蓄電部２２と第２の端子部２４に接続された第２の機器との通電が遮断される。第１の開閉器２６の数は任意の数であってもよい。電線２５に複数の電線２５Ａ及び２５Ｂが含まれる場合、第１の開閉器２６は複数の電線のそれぞれに設けられてもよい。
【００２３】
第２の開閉器２７は、電線２５に設けられる。具体的には、第２の開閉器２７は、第１の開閉器２６が閉じられた状態で第２の開閉器２７が閉じられると、第１の端子部２３と第２の端子部２４と蓄電部２２を通電可能に接続するように電線２５に設けられる。一方で、第２の開閉器２７は、第１の開閉器２６が閉じられた状態で第２の開閉器２７が開かれると、第１の端子部２３と第２の端子部２４とを通電可能に接続した状態で、第１の端子部２３及び第２の端子部２４と蓄電部２２との間の通電を遮断するように電線２５に設けられる。このため、第２の開閉器２７により、蓄電装置２０の蓄電部２２と、第１の端子部２３及び第２の端子部２４それぞれに接続された外部の機器との通電が可能にされ、或いは遮断され得る。第２の開閉器２７の数は任意の数であってもよい。電線２５に複数の電線２５Ａ及び２５Ｂが含まれる場合、第２の開閉器２７は複数の電線のそれぞれに設けられてもよい。
【００２４】
第１の開閉器２６及び第２の開閉器２７は繰り返し開閉可能に構成されてもよい。第１の開閉器２６及び第２の開閉器２７は、例えば、トランジスタまたはＭＯＳＦＥＴ等の任意のスイッチング素子を含んでもよい。かかる場合、第１の開閉器２６及び第２の開閉器２７は、これらのスイッチング素子が制御されることで、ユーザによる作業を伴わずに開閉を繰り返し得る。これにより、蓄電装置２０のユーザの利便性が向上する。一方で、第１の開閉器２６及び第２の開閉器２７は閉じられた状態から開かれた状態に不可逆的に遷移するように構成されてもよい。かかる構成によれば、第１の開閉器２６及び第２の開閉器２７は一度開かれると閉じられた状態に戻すことができない。第１の開閉器２６及び第２の開閉器２７は、例えば、ヒューズ等の素子を含んでもよい。かかる場合、第１の開閉器２６及び第２の開閉器２７は、ヒューズ等の素子が切れると閉じることができない。そのため、蓄電装置２０は、例えばユーザ等により開閉器そのものの交換、或いは、ヒューズ等の素子の交換等されることで、再度使用可能になる。これにより、一度開かれた開閉器を閉じる前にユーザに対して蓄電装置２０の安全性を確認する機会が与えられ得る。第１の開閉器２６及び第２の開閉器２７は蓄電装置２０の用途に応じて、任意の構成及び任意の開閉可能回数とされてもよい。
【００２５】
通信部２８は、制御部２１の制御に基づき、他の機器と通信を行う。通信部２８は、例えば、ＣＡＮ（Controller Area Network）通信モジュール、有線ＬＡＮ通信モジュール又は無線ＬＡＮ（Local Area Network）通信モジュール等を備えてもよい。図１において、蓄電装置２０Ａの通信部２８は、蓄電システム１に含まれるパワーコンディショナ１０、蓄電装置２０Ｂ及び２０Ｃとともに共通の通信線５０に接続されている。これにより、蓄電装置２０Ａは、例えば、機器を制御する制御信号を蓄電システム１に含まれる他の機器から受信し、受信した制御信号に基づき動作することができる。制御信号には、蓄電装置の充放電等の動作を開始させる信号、動作を停止させる信号及び動作を再開させる信号等が含まれるが、この限りではない。また、蓄電装置２０Ａは、機器の動作異常を示す信号を蓄電システム１に含まれる他の機器と送受信を行うことができる。これらの信号には、例えば、信号の送信元の機器、信号の送信先の機器又は動作異常が生じた機器等の機器を特定するための情報が設定されてもよい。例えば、蓄電装置２０をはじめ、通信線５０に接続される機器には、通信を行う際に機器を一意に特定するための識別子（identifier：ＩＤ）が予め付与されていてもよい。かかる場合、信号には、上述した機器を特定するための情報としてＩＤが含まれてもよい。
【００２６】
記憶部２９は、例えば半導体メモリ、磁気メモリ又は光メモリ等を備える。記憶部２９は、例えば主記憶装置又は補助記憶装置として機能してもよい。記憶部２９は、制御部２１に含まれるプロセッサのキャッシュメモリ等であってもよい。また、記憶部２９は、揮発性の記憶装置であってもよく、不揮発性の記憶装置であってもよい。記憶部２９は、蓄電装置２０の各機能を実現するための制御及び処理に用いられる情報及びプログラムを記憶する。記憶部２９は、例えば、第１の端子部２３に接続された第１の機器及び第２の端子部２４に接続された第２の機器を一意に特定するための情報を記憶してもよい。例えば、機器を一意に特定するための情報には、上述したＩＤ等が含まれ得る。また、記憶部２９は、後述する自装置の動作異常が生じたか否かの判定に用いられる条件を記憶してもよい。記憶部２９に記憶された情報及びプログラムの少なくとも一部が、他の機器との間で共有され、或いは同期されてもよい。
【００２７】
報知部３０は、音、振動、ライトの点灯及び画像等で情報を報知する。報知部３０は、例えばスピーカ、振動子、ライト及び表示デバイス等の少なくとも１つを含む。表示デバイスは、例えば液晶ディスプレイ又は有機ＥＬディスプレイ等とすることができる。報知部３０は、制御部２１の制御に基づいて、蓄電装置２０のＩＤ、蓄電装置２０に蓄電された電力の残量の情報、第１の開閉器２６又は第２の開閉器２７の開閉状態、或いは蓄電装置２０の動作異常が生じたか否かの情報等の少なくとも１つを報知してもよい。
【００２８】
入力部３１は、ユーザからの入力操作を受け付ける。入力部３１は、例えば報知部３０の表示デバイスと一体的に設けられたタッチパネル、キーボード、マウス、カメラ又はマイク等の入力デバイス等を含んでもよい。入力部３１は、ユーザ操作を検知すると、そのユーザ操作を電子情報として制御部２１に送信する。報知部３０及び入力部３１の少なくとも一方は、例えば、蓄電装置２０から物理的に切り離されたリモコン、タブレット端末、パーソナルコンピュータ又は制御装置等に設けられてもよい。
【００２９】
以下に、制御部２１による蓄電装置２０の各機能の制御について説明する。制御部２１は、第２の機器の動作異常を検知した場合に、第２の開閉器２７は閉じた状態で第１の開閉器２６を開いて、第１の端子部２３と蓄電部２２とを通電可能に接続した状態で、第１の端子部２３及び蓄電部２２と第２の端子部２４との間の通電を遮断する。例えば、蓄電装置２０Ａの制御部２１は、第２の機器である蓄電装置２０Ｂの動作異常を検知した場合に、第１の開閉器２６を開く。それにより、制御部２１は、第１の端子部２３と蓄電部２２とを通電可能に接続した状態で、第１の端子部２３及び蓄電部２２と第２の端子部２４との間の通電を遮断する。一方で、蓄電装置２０Ａの制御部２１は、蓄電装置２０Ｂ以外の機器、例えばパワーコンディショナ１０又は蓄電装置２０Ｃ等の動作異常を検知した場合には、第１の開閉器２６を開かない。
【００３０】
制御部２１は、任意の方法で第２の機器の動作異常を検知してもよい。制御部２１は、以下に例示する方法又は方法の組合せにより第２の機器の動作異常を検知してもよい。例えば、制御部２１は、通信部２８において第２の機器の動作異常を示す信号を受信することにより、第２の機器の動作異常を検知してもよい。第２の機器の動作異常を示す信号には、例えば機器のＩＤ等、機器を特定する情報が含まれてもよい。制御部２１は、記憶部２９に記憶された第２の機器のＩＤと、第２の機器の動作異常を示す信号に含まれる機器のＩＤとを比較することにより、第２の機器の動作異常を示す信号を受信したか否かを判定してもよい。
【００３１】
第２の機器の動作異常を示す信号は、第２の機器の動作異常が生じた場合に送信される信号であってもよい。当該信号は、例えば、第２の機器において、異常な発熱が検知された場合、異常な電流量が検知された場合、或いは異常な電圧の上昇又は下降が検知された場合に送信されてもよい。また、第２の機器の動作異常を示す信号は、第２の機器の動作異常が生じた場合以外にも送信される信号であってもよい。例えば、第２の機器の動作異常を示す信号として、異常時又は通常時によらず定期的に送信される、機器の動作状態を通知する信号が用いられてもよい。制御部２１は、第２の機器の動作状態を通知する信号に含まれる情報に基づき、第２の機器の動作異常を示す信号を受信したと判定してもよい。例えば第２の機器が蓄電装置である場合、当該信号には、蓄電装置の温度、電流量又は電圧値等の情報が含まれてもよい。制御部２１は、第２の機器である蓄電装置の動作状態を通知する信号に含まれる温度、電流量又は電圧値等の値が所定の閾値を超えた場合に、第２の機器の動作異常を示す信号を受信したと判定してもよい。第２の機器の動作異常を示す信号は、任意の機器から送信されてもよい。例えば、第２の機器の動作異常を示す信号は、第２の機器自身から直接送信されてもよく、或いはパワーコンディショナ１０等の第２の機器以外の機器から送信されてもよい。
【００３２】
制御部２１は、通信部２８において第２の機器との通信が途絶えたことにより、第２の機器の動作異常を検知してもよい。例えば、蓄電装置２０は、正常動作時において、通信線５０に接続された他の機器と定期的に通信を行ってもよい。当該通信は、上述した機器の動作状態を通知する信号の授受であってもよい。或いは、当該通信は、所謂、ハートビートと呼ばれる、ネットワークで接続された機器同士が互いの接続が有効であることを確認するために、定期的に送信される信号の授受であってもよい。制御部２１は、第２の機器からの信号の受信に失敗した場合、第２の機器との通信が途絶えたと判定してもよい。当該判定において、制御部２１は、例えは第２の機器からの信号を受信しない状態で所定期間が経過するとの条件、或いは自装置から所定回数の送信要求を繰り返した後、第２の機器からの信号を受信できないとの条件等を用いて判定を行ってもよい。
【００３３】
制御部２１は、自装置のセンサにおいて第２の機器の動作異常を示す情報が検知されたことにより、第２の機器の動作異常を検知してもよい。そのために、蓄電装置２０は、温度センサ、電流計又は電圧計等のセンサを備えてもよい。
【００３４】
制御部２１は、第１の開閉器２６を開いた状態で、蓄電装置２０を動作させ得る。例えば、図１において、蓄電装置２０Ａ、２０Ｂ及び２０Ｃのそれぞれの第１の開閉器２６が閉じられている場合、蓄電システム１は蓄電装置２０Ａ、２０Ｂ及び２０Ｃの３つの蓄電装置が並列に接続された蓄電システムとして動作し得る。一方で、蓄電装置２０Ｂの第１の開閉器２６が開かれている場合、蓄電装置２０Ａ及び２０Ｂと蓄電装置２０Ｃとの通電が遮断されるため、蓄電システム１は蓄電装置２０Ａ及び２０Ｂのみが並列に接続された蓄電システムとして動作し得る。また、蓄電装置２０Ａの第１の開閉器２６が開かれている場合、蓄電装置２０Ａと蓄電装置２０Ｂとの通電が遮断される。蓄電装置２０Ａと蓄電装置２０Ｂとの通電が遮断されると、それに伴い蓄電装置２０Ａと、蓄電装置２０Ｂよりも下位に接続される全ての蓄電装置との通電も遮断される。このため、蓄電システム１は蓄電装置２０Ａのみが接続された蓄電システムとして動作し得る。
【００３５】
制御部２１は、自装置の動作異常を検知した場合に、通信部２８から自装置の動作異常を示す信号を送信する。自装置の動作異常を示す信号には、例えば自装置のＩＤ等、動作異常が生じた機器を特定する情報が含まれてもよい。また、制御部２１は、当該信号を任意の方法で送信してもよい。例えば、制御部２１は、送信対象の機器を指定せず、通信線５０に接続された全ての機器に対して信号を送信してもよい。また、制御部２１は、前述のＩＤ等を用いて送信対象を指定して、特定の機器に対して信号を送信してもよい。また、当該信号は他の機器に対して、通信部２８から直接送信されてもよい。或いは、当該信号は、蓄電システム１全体を制御する制御装置、例えばパワーコンディショナ１０等に一度送信され、当該制御装置から蓄電システム１に含まれる他の蓄電装置２０に対して更に送信されてもよい。
【００３６】
制御部２１は、任意の方法で自装置の動作異常を検知してもよい。制御部２１は、自装置のセンサにおいて自装置の動作異常を示す情報が検知されたことにより、自装置の動作異常を検知してもよい。そのために、蓄電装置２０は、温度センサ、電流計又は電圧計等のセンサを備えてもよい。また、制御部２１は、上述した蓄電装置２０が備える機能部のいずれかの動作異常を検知することにより、或いは機能部のいずれかの制御が不可能となったことにより、自装置の動作異常を検知してもよい。
【００３７】
制御部２１は、自装置の動作異常を検知した場合に、第１の開閉器２６は閉じた状態で第２の開閉器２７を開いて、第１の端子部２３と第２の端子部２４とを通電可能に接続した状態で、第１の端子部２３及び第２の端子部２４と蓄電部２２との間の通電を遮断してもよい。これにより、制御部２１は、第１の端子部２３に接続された第１の機器と第２の端子部２４に接続された第２の機器との間の通電を維持した状態で、自装置の蓄電部２２のみの通電を遮断することができる。本処理は、上述した通信部２８から自装置の動作異常を示す信号を送信する処理と択一的に実施されてもよい。例えば、制御部２１は、自装置の動作異常が検知された場合に、動作異常の内容に応じて、通信部２８から自装置の動作異常を示す信号を送信して他の機器に自装置を切り離させるか、第２の開閉器２７を開いて自身を他の機器から切り離すかを判定してもよい。例えば、制御部２１は、自装置の蓄電部２２による充放電が行われなければ、自装置の動作異常が他の蓄電装置の動作の安全性に影響を与えないと判定した場合、第２の開閉器２７を開いてもよい。
【００３８】
例えば、図１において、蓄電装置２０Ａ、２０Ｂ及び２０Ｃのそれぞれの第１の開閉器２６が閉じられている場合、蓄電システム１は蓄電装置２０Ａ、２０Ｂ及び２０Ｃの３つの蓄電装置が並列に接続された蓄電システムとして動作し得る。その後、蓄電装置２０Ｂの制御部２１は、蓄電装置２０Ｂの動作異常が検知された場合に、第２の開閉器２７を開く。これにより、蓄電装置２０Ｂの制御部２１は、第１の端子部２３と第２の端子部２４とを通電可能に接続した状態で、第１の端子部２３及び第２の端子部２４と蓄電部２２との間の通電を遮断する。かかる場合、蓄電装置２０Ａと２０Ｃとの通電は維持した状態で、蓄電装置２０Ａ及び２０Ｃと蓄電装置２０Ｂとの通電が遮断される。そのため、蓄電システム１は蓄電装置２０Ａ及び２０Ｃのみが並列に接続された蓄電システムとして動作し得る。
【００３９】
制御部２１は、自装置の第１の開閉器２６が開かれると、第１の開閉器２６が開かれた旨を報知部３０から報知してもよい。かかる場合、報知された情報を見たユーザは、当該蓄電装置とその上位に設置された機器を用いた蓄電システム１の動作継続が可能であると判断し得る。また、ユーザは、当該蓄電装置の下位に設置された機器に動作異常が生じたと判断し得る。更に、制御部２１は、自装置の第１の開閉器２６が開かれる際に、自装置の動作の少なくとも一部を停止させて、第１の開閉器２６が開かれた旨を報知部３０から報知してもよい。停止させる自装置の動作の少なくとも一部には、例えば、蓄電部２２の充電及び放電が含まれてもよい。その後、例えば蓄電装置２０の動作継続を希望するユーザは、第１の開閉器２６が開かれた状態で動作の少なくとも一部を再開させる指示を入力する操作を行う。制御部２１は、第１の開閉器２６が開かれた状態で動作の少なくとも一部を再開させる指示を入力部３１にて受け付けると、第１の開閉器２６が開かれた状態で動作の少なくとも一部を再開させてもよい。
【００４０】
本開示において、前述した制御部２１をはじめとする蓄電装置２０の機能の一部又は全部は、蓄電装置２０を制御する制御装置により提供されてもよい。制御装置は、蓄電装置２０に含まれてもよく、或いは蓄電装置２０の外部に別体として設けられてもよい。別体として設けられる場合、制御装置は、例えばホームエネルギーマネジメントシステム（Home Energy Management System：ＨＥＭＳ）、バッテリーマネジメントシステム（Battery Management System：ＢＭＳ）、リモコン、携帯電話、スマートフォン、タブレット端末又はＰＣ（Personal Computer）等を含む、蓄電装置２０を制御可能な情報処理装置であってもよい。また、制御装置は、上述したパワーコンディショナ１０、或いは他の蓄電装置２０であってもよい。
【００４１】
例えば、制御装置は、上述した報知部３０及び入力部３１を備えてもよい。その場合、制御装置は、蓄電装置２０の第１の開閉器２６が開かれた旨を自身の報知部３０から報知してもよい。そのために、蓄電装置２０の制御部２１は、通信部２８から第１の開閉器２６が開かれた旨を通知する信号を制御装置に送信してもよい。かかる場合、信号を受信した制御装置は、蓄電装置２０とその上位に設置された機器を用いた蓄電システム１の動作継続が可能であると判断し得る。また、制御装置は、蓄電装置２０の第１の開閉器２６が開かれた状態で蓄電装置２０の動作の少なくとも一部を再開させる指示を自身の入力部３１にて受け付けてもよい。その後、制御装置は、蓄電装置２０の第１の開閉器２６が開かれた状態で蓄電装置２０の動作の少なくとも一部を再開させる信号を蓄電装置２０に送信してもよい。蓄電装置２０の制御部２１は、制御装置から送信された蓄電装置２０の第１の開閉器２６が開かれた状態で蓄電装置２０の動作の少なくとも一部を再開させる信号を通信部２８にて受信する。
【００４２】
（蓄電システムの動作例１）
図１及び図２を参照して、本開示の一実施形態に係る蓄電システム１が実行する、蓄電装置２０の制御の一例を説明する。図１に示す蓄電システム１には、パワーコンディショナ１０、蓄電装置２０Ａ、２０Ｂ及び２０Ｃの機器が含まれる。蓄電システム１において、蓄電装置２０Ａ、２０Ｂ及び２０Ｃは並列に接続されている。それぞれの蓄電装置２０は、通信線５０を介して通信を行うための自装置のＩＤと、自装置の第１の端子部２３及び第２の端子部２４にそれぞれ接続された機器のＩＤとを記憶する。パワーコンディショナ１０、蓄電装置２０Ａ、２０Ｂ及び２０ＣのＩＤは、それぞれＩＤ１０、ＩＤ２０Ａ、ＩＤ２０Ｂ及びＩＤ２０Ｃであるものとする。蓄電システム１において、パワーコンディショナ１０は蓄電装置２０Ａ、２０Ｂ及び２０Ｃの制御装置として用いられるものとする。そのため、蓄電システム１のユーザは、パワーコンディショナ１０のリモコンを用いて、蓄電システム１に含まれる機器を操作することができるものとする。以下、蓄電装置２０は、第１の開閉器２６及び第２の開閉器２７が閉じられた状態で本動作を開始するものとして説明する。
【００４３】
図２を参照して、ユーザがリモコンにて蓄電システム１に運転を開始させる操作を行うと、パワーコンディショナ１０から蓄電装置２０Ａ、２０Ｂ及び２０Ｃに動作を開始させる信号が送信される。蓄電装置２０Ａ、２０Ｂ及び２０Ｃは運転を開始させる指示を受信すると、指示に応じて蓄電部２２の充放電等を含む動作を開始する。蓄電システム１の動作中、蓄電装置２０Ａ、２０Ｂ及び２０Ｃは、それぞれ自装置又は他の機器の動作異常が検知されるか否か監視を行う。例えば、蓄電装置２０Ｂにおいて動作異常が生じた場合、蓄電装置２０Ｂは、通信線５０を介して、自装置の動作異常を示す信号を通信線５０に接続された他の機器であるパワーコンディショナ１０、蓄電装置２０Ａ及び２０Ｃに送信する。他の機器は、当該信号を受信することにより、蓄電装置２０Ｂの動作異常を検知する。その後、蓄電装置２０Ｂは、自装置の充放電を停止可能な場合には、停止させる。
【００４４】
蓄電装置２０Ａ及び２０Ｃは、蓄電装置２０Ｂの動作異常を検知した場合に、蓄電装置２０Ｂが自装置の第２の端子部２４に接続された第２の機器であるか否かを判定する。蓄電装置２０Ａは、蓄電装置２０Ｂが自装置の第２の端子部２４に接続された第２の機器であるため、自装置の第１の開閉器２６を開く。一方で、蓄電装置２０Ｃは、蓄電装置２０Ｃが自装置の第２の端子部２４に接続された第２の機器ではないため、自装置の第１の開閉器２６を開かない。これにより、蓄電システム１において、蓄電装置２０Ａよりも下位に接続された蓄電装置は切り離される。このため、蓄電システム１は、蓄電装置２０Ａのみが接続された縮退状態での運転が可能になる。蓄電装置２０Ａは、自装置の第１の開閉器２６が開かれた旨を自装置のディスプレイに表示する。蓄電システム１に含まれる蓄電装置２０のそれぞれは、安全のため、蓄電装置２０Ｂの動作異常を検知した場合に、蓄電部２２による充放電を停止させる。
【００４５】
ユーザは蓄電装置２０Ａのディスプレイに表示された情報をもとに、蓄電装置２０Ａのみを対象に蓄電システム１の運転を再開させるか否か検討する。その後、ユーザは蓄電装置２０Ａのタッチパネルに蓄電部２２による充放電を再開させる指示を入力する。蓄電装置２０Ａは充放電を再開させる指示を受け付けると、蓄電装置２０Ａの第１の開閉器２６が開かれた状態で蓄電部２２による充放電を再開する。
【００４６】
（蓄電システムの動作例２）
図１及び図３を参照して、本開示の一実施形態に係る蓄電システム１が実行する、蓄電装置２０の制御の他の例を説明する。動作例１では、蓄電システム１において他の蓄電装置の動作異常を検知した場合の蓄電装置２０の制御を説明した。本動作例では、蓄電システム１において自装置の動作異常を検知した場合の蓄電装置２０の制御を説明する。以下、蓄電装置２０は、第１の開閉器２６及び第２の開閉器２７が閉じられた状態で本動作を開始するものとして説明する。
【００４７】
図３を参照して、例えば、蓄電装置２０Ｂにおいて、自装置の動作異常が検知されたとする。蓄電装置２０Ｂは、自装置の第２の開閉器２７が制御可能である場合には、自装置の第２の開閉器２７を開いて、第１の端子部２３と第２の端子部２４とを通電可能に接続した状態で、蓄電部２２を切り離す。その後、蓄電装置２０Ｂは、自装置の充放電を停止可能な場合には、停止させる。これにより、蓄電システム１において、蓄電装置２０Ｂの第１の端子部２３と第２の端子部２４とにそれぞれ接続されている蓄電装置２０Ａと２０Ｃとは通電可能に接続された状態で、蓄電装置２０Ｂの蓄電部２２の充放電のみが行われなくなる。このため、蓄電システム１は、蓄電装置２０Ａ及び２０Ｃのみが並列に接続された縮退状態での運転が可能になる。
【００４８】
動作例１と同様に、蓄電システム１に含まれる蓄電装置２０のそれぞれは、安全のため、蓄電部２２による充放電を停止させる。蓄電装置２０Ａ及び２０Ｃは、ユーザにより蓄電システム１の運転を再開させる指示を受け付けると、それぞれの蓄電部２２による充放電を再開させる。
【００４９】
（蓄電装置の処理例１）
図４を参照して、本開示の一実施形態に係る蓄電装置である蓄電装置２０が実行する処理の一例を説明する。本処理例では、他の機器の動作異常を検知した場合の蓄電装置２０が実行する処理を説明する。以下、蓄電装置２０が、第１の開閉器２６及び第２の開閉器２７が閉じられた状態で動作しているものとして説明する。
【００５０】
ステップＳ１０１：制御部２１は、第２の機器の動作異常を検知する。
【００５１】
ステップＳ１０２：制御部２１は、第１の開閉器２６を開いて、第１の端子部２３と蓄電部２２とを通電可能に接続した状態で、第１の端子部２３及び蓄電部２２と第２の端子部２４との間の通電を遮断する。
【００５２】
ステップＳ１０３：制御部２１は、自装置の動作の少なくとも一部を停止させる。
【００５３】
ステップＳ１０４：制御部２１は、第１の開閉器２６が開かれた旨を報知部３０から報知する。
【００５４】
ステップＳ１０５：制御部２１は、第１の開閉器２６が開かれた状態で自装置の動作の少なくとも一部を再開させる指示を入力部３１にて受け付けた否か判定する。制御部２１は、当該指示を受け付けない場合（ステップＳ１０５−Ｎｏ）、本ステップを繰り返す。
【００５５】
ステップＳ１０６：制御部２１は、第１の開閉器２６が開かれた状態で前記動作の少なくとも一部を再開させる信号を受信した場合（ステップＳ１０５−Ｙｅｓ）、第１の開閉器２６が開かれた状態で動作の少なくとも一部を再開させる。
【００５６】
（蓄電装置の処理例２）
図５を参照して、本開示の一実施形態に係る蓄電装置である蓄電装置２０が実行する処理の他の例を説明する。本処理例では、自装置の動作異常を検知した場合の蓄電装置２０が実行する処理を説明する。以下、蓄電装置２０が、第１の開閉器２６及び第２の開閉器２７が閉じられた状態で動作しているものとして説明する。
【００５７】
ステップＳ１１１：制御部２１は、自装置の動作異常を検知する。
【００５８】
ステップＳ１１２：制御部２１は、第２の開閉器２７を制御することが可能か否かを判定する。
【００５９】
ステップＳ１１３：制御部２１は、第２の開閉器２７が制御可能な場合（ステップＳ１１２−Ｙｅｓ）、第２の開閉器２７を開いて、第１の端子部２３と第２の端子部２４とを通電可能に接続した状態で、第１の端子部２３及び第２の端子部２４と蓄電部２２との間の通電を遮断する。
【００６０】
ステップＳ１１４：制御部２１は、第２の開閉器２７が制御可能ではない場合（ステップＳ１１２−Ｎｏ）、通信部２８から自装置の動作異常を示す信号を送信する。
【００６１】
ステップＳ１１５：制御部２１は、自装置の動作の少なくとも一部を停止させる。
【００６２】
（蓄電システムの処理例）
図６を参照して、本開示の一実施形態に係る蓄電システム１が実行する処理の一例を説明する。図１に示される蓄電システム１には、パワーコンディショナ１０と、蓄電装置である蓄電装置２０Ａ、２０Ｂ及び２０Ｃが含まれる。蓄電システム１において、パワーコンディショナ１０は蓄電装置２０の制御装置として用いられるものとする。以下、蓄電装置２０は、ユーザによるパワーコンディショナ１０のリモコン操作等に基づき、第１の開閉器２６及び第２の開閉器２７が閉じられた状態で動作を開始するものとして説明する。
【００６３】
ステップＳ２０１：パワーコンディショナ１０は、蓄電システム１の動作を開始させるユーザ操作を受け付けると、蓄電装置２０Ａ、２０Ｂ及び２０Ｃに、動作を開始させる信号を送信する。蓄電装置２０Ａ、２０Ｂ及び２０Ｃは、当該信号に基づき、動作を開始する。
【００６４】
ステップＳ２０２：蓄電装置２０Ａ、２０Ｂ及び２０Ｃの動作中に、蓄電装置２０Ｃにおいて、動作異常が発生したとする。蓄電装置２０Ｂは、自装置の動作異常を検知した場合に、通信部２８から自装置の動作異常を示す信号をパワーコンディショナ１０、蓄電装置２０Ａ及び２０Ｃに送信する。
【００６５】
ステップＳ２０３：蓄電装置２０Ａは、蓄電装置２０Ｃの動作異常を検知した場合に、蓄電装置２０Ｃは第２の機器ではないため、第１の開閉器２６を開かずに、例えば蓄電部２２の充放電等、自装置の動作の少なくとも一部を停止させる。
【００６６】
ステップＳ２０４：蓄電装置２０Ｂは、蓄電装置２０Ｃの動作異常を検知した場合に、蓄電装置２０Ｃは第２の機器であるため、第１の開閉器２６を開いて、第１の端子部２３と蓄電部３３とを通電可能に接続した状態で、第１の端子部２３及び蓄電部２２と第２の端子部２４との間の通電を遮断する。これにより、蓄電装置２０Ａと蓄電装置２０Ｂは通電可能に接続された状態で、蓄電装置２０Ｂと蓄電装置２０Ｃの通電が遮断される。
【００６７】
ステップＳ２０５：蓄電装置２０Ｂは、例えば蓄電部２２の充放電等、自装置の動作の少なくとも一部を停止させる。
【００６８】
ステップＳ２０６：蓄電装置２０Ｂは、通信部２８から自装置の第１の開閉器２６が開かれた旨を通知する信号をパワーコンディショナ１０に送信する。
【００６９】
ステップＳ２０７：パワーコンディショナ１０は、リモコン等に蓄電装置２０Ｂの開閉器が開かれた旨を表示する。
【００７０】
ステップＳ２０８：パワーコンディショナ１０は、蓄電システム１の動作を再開させるユーザ操作を受け付けると、蓄電装置２０Ａ及び２０Ｂに、動作の少なくとも一部を再開させる信号を送信する。
【００７１】
ステップＳ２０９：蓄電装置２０Ａ及び２０Ｂは、当該信号に基づき、動作の少なくとも一部を再開する。これにより、蓄電システム１は縮退状態で運転を再開する。
【００７２】
ステップＳ２１０：ユーザが蓄電装置２０Ｃを修理する際に、パワーコンディショナ１０は、蓄電システム１の動作を停止させるユーザ操作を受け付けると、蓄電装置２０Ａ、２０Ｂ及び２０Ｃに、動作を停止させる信号を送信する。蓄電装置２０Ａ、２０Ｂ及び２０Ｃは、当該信号に基づき、動作を停止する。その後、ユーザは蓄電装置２０Ｃを修理する。
【００７３】
ステップＳ２１１：ユーザによる蓄電装置２０Ｃの修理が完了したのち、パワーコンディショナ１０は、蓄電システム１の動作を開始させるユーザ操作を受け付けると、蓄電装置２０Ａ、２０Ｂ及び２０Ｃに、動作を開始させる信号を送信する。蓄電装置２０Ａ、２０Ｂ及び２０Ｃは、当該信号に基づき、動作を開始する。これにより、蓄電システム１は通常状態で運転を開始する。
【００７４】
以上述べたように、本実施形態によれば、蓄電装置２０は、第１の機器と通電可能に接続される第１の端子部２３と、第２の機器と通電可能に接続される第２の端子部２４と、蓄電部２２と、第１の端子部２３、第２の端子部２４及び蓄電部２２を通電可能に接続する電線２５と、電線２５に設けられた第１の開閉器２６と、制御部２１とを備える。制御部２１は、第２の機器の動作異常を検知した場合に、第１の開閉器２６を開いて、第１の端子部２３と蓄電部２２とを通電可能に接続した状態で、第１の端子部２３及び蓄電部２２と第２の端子部２４との間の通電を遮断する。かかる構成によれば、蓄電装置２０は、自装置よりも下位に接続されている他の機器を自動で切り離すことができる。これにより、蓄電装置２０を含む蓄電システム１は正常に動作可能な一部の蓄電装置を継続動作させることができる。これにより、蓄電装置を制御する技術の有用性が向上する。
【００７５】
本実施形態によれば、蓄電装置２０は、通信部２８を更に備える。制御部２１は、通信部２８において第２の機器の動作異常を示す信号を受信することにより、第２の機器の動作異常を検知する。かかる構成によれば、蓄電装置２０は、自装置によって第２の機器の動作異常を特定できない場合においても、他の機器から送信された信号に基づき、第２の機器の動作異常を検知することができる。これにより、蓄電装置を制御する技術の有用性が向上する。
【００７６】
本実施形態によれば、蓄電装置の制御部２１は、自装置の動作異常を検知した場合に、通信部２８から自装置の動作異常を示す信号を送信する。かかる構成によれば、蓄電装置２０は、自装置に動作異常が生じた場合に、自装置よりも上位に接続されている他の機器に自装置を切り離させ得る。これにより、蓄電装置２０を含む蓄電システム１は正常に動作可能な一部の蓄電装置を継続動作させることができる。これにより、蓄電装置を制御する技術の有用性が向上する。
【００７７】
本実施形態によれば、蓄電装置２０は、第２の開閉器２７を更に備える。制御部２１は、自装置の動作異常を検知した場合に、第２の開閉器２７を開いて、第１の端子部２３と第２の端子部２４とを通電可能に接続した状態で、第１の端子部２３及び第２の端子部２４と蓄電部２２との間の通電を遮断する。かかる構成によれば、蓄電装置２０は、自装置に動作異常が生じた場合に、自装置の上位及び下位に接続されている他の機器の通電を維持した状態で、自装置の蓄電部２２を切り離させ得る。これにより、蓄電装置２０を含む蓄電システム１は正常に動作可能な一部の蓄電装置を継続動作させることができる。これにより、蓄電装置を制御する技術の有用性が向上する。
【００７８】
本実施形態によれば、蓄電装置２０は、報知部３０を更に備える。制御部２１は、自装置の第１の開閉器２６が開かれると、第１の開閉器２６が開かれた旨を報知部３０から報知する。かかる構成によれば、蓄電装置２０は、自装置よりも上位に接続された機器が正常に動作し得ることをユーザに通知することができる。また、蓄電装置２０は、自装置の下位に接続された機器に異常が生じたことをユーザに通知することができる。これにより、蓄電装置を制御する技術の有用性が向上する。
【００７９】
本実施形態によれば、蓄電装置２０は、報知部３０に加え、入力部３１をも備える。制御部２１は、自装置の第１の開閉器が開かれる際に、自装置の動作の少なくとも一部を停止させて、第１の開閉器２６が開かれた旨を前記報知部から報知する。制御部２１は、第１の開閉器２６が開かれた状態で動作の少なくとも一部を再開させる指示を入力部３１にて受け付けると、第１の開閉器２６が開かれた状態で動作の少なくとも一部を再開させる。かかる構成によれば、蓄電装置２０は、第２の機器に動作異常が発生した際に自装置の動作を停止させ、ユーザに対して自装置の動作について継続の要否の判断を仰いだ上で、自装置の動作を再開させることができる。これにより、ユーザに第２の機器に動作異常が生じた際に蓄電システム１を継続して動作させるか否かの判断を行う機会を与えられるため、蓄電装置を制御する技術の有用性が向上する。
【００８０】
本実施形態によれば、蓄電装置２０の制御部２１は、通信部２８から自装置の第１の開閉器２６が開かれると、第１の開閉器２６が開かれた旨を通知する信号を送信する。かかる構成によれば、蓄電装置２０は、蓄電システム１において自装置よりも上位に接続された機器は正常に動作し得ることを他の機器に通知することができる。また、蓄電装置２０は、自装置の下位に接続された機器に異常が生じたことを他の機器に通知することができる。これにより、蓄電装置を制御する技術の有用性が向上する。
【００８１】
本実施形態によれば、蓄電装置２０の制御部２１は、自装置の第１の開閉器２６が開かれる際に、自装置の動作の少なくとも一部を停止させて、通信部２８から第１の開閉器２６が開かれた旨を通知する信号を送信する。制御部２１は、第１の開閉器２６が開かれた状態で動作の少なくとも一部を再開させる信号を通信部２８にて受け付けると、第１の開閉器２６が開かれた状態で動作の少なくとも一部を再開させる。かかる構成によれば、蓄電装置２０は、第２の機器に動作異常が発生した際に自装置の動作を停止させ、ユーザが操作可能な機器により自装置の動作を継続の要否の判断を仰いだ上で、自装置の動作を再開させることができる。これにより、第２の機器に動作異常が生じた際に、蓄電装置２０と遠隔地にあるユーザに対しても他の機器を介して、蓄電システム１を継続して動作させるか否かの判断を行う機会が与えられるため、蓄電装置を制御する技術の有用性が向上する。
【００８２】
本実施形態によれば、蓄電装置２０の第１の開閉器２６は閉じられた状態から開かれた状態に不可逆的に遷移する。かかる構成によれば、蓄電装置２０は、第１の開閉器２６又はその部品を交換された場合にのみ、蓄電装置２０の第１の開閉器２６が閉じられた状態で動作することができる。これにより、ユーザに第２の機器及び蓄電装置２０の安全を確認させる機会を与えられるため、蓄電装置を制御する技術の有用性が向上する。
【００８３】
前述の実施形態は代表的な例として説明したが、本開示の趣旨及び範囲内で、多くの変更及び置換ができることは当業者に明らかである。従って、本開示は、前述の実施形態によって制限するものと解するべきではなく、特許請求の範囲から逸脱することなく、種々の変形又は変更が可能である。例えば、各手段又は各ステップ等に含まれる機能等は論理的に矛盾しないように再配置可能であり、複数の手段又はステップ等を１つに組み合わせたり、或いは分割したりすることが可能である。
【００８４】
例えば、前述した実施形態において、蓄電システム１において、蓄電装置２０等の機器が並列に接続される例を示したが、この限りではない。蓄電装置２０等の機器が直列に接続されてもよい。
【００８５】
例えば、前述した実施形態において、蓄電装置は、外部に電力を供給できる任意の機器であってもよい。蓄電装置は、例えば、太陽電池、風力発電装置、水力発電装置及び燃料電池等を含む任意の電源装置であってもよい。かかる場合、前述した蓄電システムは電源システムであってもよく、蓄電部は発電して電力を供給する電源部であってもよい。
【００８６】
例えば、前述した実施形態において、通信線５０に接続される機器のそれぞれに、機器を一意に特定するためのＩＤが１つずつ付与される例を示したが、この限りではない。それぞれの機器には、複数のＩＤを含む、ＩＤ群が付与されてもよい。かかる場合、ＩＤ群に含まれるＩＤは、機器を一意に特定するとともに、その機器に関する追加の情報も含み得る。機器に関する追加の情報は、その機器の動作状態であってもよい。例えば、蓄電装置２０には、蓄電装置２０を一意に特定して、自装置が正常動作であることを示すＩＤと、蓄電装置２０を一意に特定して、自装置が動作異常であることを示すＩＤとを含むＩＤ群が付与されてもよい。
【符号の説明】
【００８７】
１  蓄電システム
１０  パワーコンディショナ
２０  蓄電装置
２１  制御部
２２  蓄電部
２３  第１の端子部
２４  第２の端子部
２５  電線
２６  第１の開閉器
２７  第２の開閉器
２８  通信部
２９  記憶部
３０  報知部
３１  入力部
４０  電線
５０  通信線
６０  電力系統
７０  負荷
【図１】
2019208147.tif 000003
【図２】
2019208147.tif 000004
【図３】
2019208147.tif 000005
【図４】
2019208147.tif 000006
【図５】
2019208147.tif 000007
【図６】
2019208147.tif 000008
【国際調査報告】
2019208147.tif 000009
2019208147.tif 000010
2019208147.tif 000011
2019208147.tif 000012